(57)【要約】【課題】有価証券の取引に対する振り返りを容易に行うことができるようにするために、有価証券の取引に関する投資家自身の行動を記録して参照可能とする技術を提供すること。【解決手段】ユーザが利用する端末と通信する記録サーバ（１０）であって、ユーザから入力されたメッセージを解釈することでユーザの行動内容を認識し、認識したユーザの行動内容及び記録日時を示す情報を行動履歴記憶部（１０５）に記録する言語処理部（１０１）と、行動履歴記憶部から、ユーザの行動内容及び記録日時を示す情報を取得して端末に出力する出力部（１０２）と、を有する記録サーバ（１０）を提供する。【選択図】図８
2019008529.tif 000002
【特許請求の範囲】
【請求項１】
ユーザが利用する端末と通信する記録サーバであって、
前記ユーザから入力されたメッセージを解釈することで前記ユーザの行動内容を認識し、認識した前記ユーザの行動内容及び記録日時を示す情報を行動履歴記憶部に記録する言語処理部と、
前記行動履歴記憶部から、前記ユーザの行動内容及び記録日時を示す情報を取得して前記端末に出力する出力部と、
を有する記録サーバ。
【請求項２】
前記言語処理部は、前記ユーザから入力されたメッセージを解釈することで前記ユーザの行動を通じて前記ユーザが抱く感情を認識し、認識した前記ユーザの感情を示す情報を前記行動履歴記憶部に記録し、
前記出力部は、前記ユーザの行動内容及び前記ユーザの感情を時系列順に表示させるために、前記行動履歴記憶部から、前記ユーザの行動内容、前記ユーザの感情及び記録日時を示す情報を取得して前記端末に出力する、
請求項１に記載の記録サーバ。
【請求項３】
前記言語処理部において前記ユーザの感情が認識された際に、当該記録サーバとは異なる外部サーバに対し、認識された前記ユーザの感情に応じた所定のコンテンツを要求し、前記外部サーバから前記所定のコンテンツを取得する外部連携部、を有し、
前記言語処理部は、前記所定のコンテンツを、前記ユーザに送信するメッセージに含めて前記端末に送信する、
請求項１又は２のいずれか一項に記載の記録サーバ。
【請求項４】
前記ユーザの行動は有価証券取引に関するものであって、
前記言語処理部は、前記ユーザが登録を指示した株式銘柄又は前記ユーザが購入した株式銘柄に関する情報を含むメッセージを前記端末に送信する、
請求項１から３のいずれか一項に記載の記録サーバ。
【請求項５】
前記ユーザが登録を指示した株式銘柄又は前記ユーザが購入した株式銘柄に関する情報は、該株式銘柄の株価、該株式銘柄に関する時事情報、該株式銘柄の評価損益、及び、売買タイミングのアドバイスのうち少なくとも１つを含む、
請求項４に記載の記録サーバ。
【請求項６】
前記言語処理部は、前記ユーザの行動内容を認識した際、若しくは、前記ユーザが登録を指示した株式銘柄又は前記ユーザが購入した株式銘柄に関する情報を含むメッセージを前記端末に送信した際に、前記ユーザに対して感情の入力を促すメッセージを前記端末に送信する、
請求項４又は５に記載の記録サーバ。
【請求項７】
前記言語処理部は、前記ユーザから入力されたメッセージを解釈することで、前記ユーザが購入した株式銘柄の購入目的を認識し、
前記出力部は、認識された株式銘柄ごとの購入目的を、前記ユーザが購入した株式銘柄ごとに対応づけて前記端末に出力する、
請求項１から６のいずれか一項に記載の記録サーバ。
【請求項８】
前記ユーザの行動内容は、株式銘柄の登録を指示する行動、又は、株式の売買を指示する行動である、
請求項１から７のいずれか一項に記載の記録サーバ。
【請求項９】
ユーザが利用する端末と通信する記録サーバが実行する記録方法であって、
前記ユーザから入力されたメッセージを解釈することで前記ユーザの行動内容を認識し、認識した前記ユーザの行動内容及び記録日時を示す情報を行動履歴記憶部に記録するステップと、
前記行動履歴記憶部から、前記ユーザの行動内容及び記録日時を示す情報を取得して前記端末に出力するステップと、
を有する記録方法。
【請求項１０】
ユーザが利用する端末と通信するコンピュータに実行させるプログラムであって、
前記ユーザから入力されたメッセージを解釈することで前記ユーザの行動内容を認識し、認識した前記ユーザの行動内容及び記録日時を示す情報を行動履歴記憶部に記録するステップと、
前記行動履歴記憶部から、前記ユーザの行動内容及び記録日時を示す情報を取得して前記端末に出力するステップと、
を有するプログラム。
【発明の詳細な説明】
【技術分野】
【０００１】
本発明は、ユーザの行動内容を記録する記録サーバ、記録方法及びプログラムに関する。
【背景技術】
【０００２】
現在、有価証券の取引を行う場合、投資家は、口座を開設した証券会社のＷｅｂサイトにアクセスして銘柄を指定することで、オンラインで取引を行うことができる。なお、有価証券取引に関する技術として、例えば、特許文献１に記載の技術が知られている。
【先行技術文献】
【特許文献】
【０００３】
【特許文献１】特開２０１４−１８２７０１
【発明の概要】
【発明が解決しようとする課題】
【０００４】
投資家によっては、自身が行った取引内容やその銘柄に関連したニュースなどを手帳等に手作業で記録することで、各銘柄について自分がどのような取引を行ってきたのかを将来振り返ることができるようにしている。しかしながら、投資家は同時に複数の銘柄について取引を行うことが多いことから、銘柄ごとに自分が行った取引等を手作業で記録していくことは非常に手間である。
【０００５】
そこで、本発明は、有価証券の取引に対する振り返りを容易に行うことができるようにするために、有価証券の取引に関する投資家自身の行動を記録して参照可能とする技術を提供することを目的とする。
【課題を解決するための手段】
【０００６】
本発明の一態様に係る記録サーバは、ユーザが利用する端末と通信する記録サーバであって、ユーザから入力されたメッセージを解釈することでユーザの行動内容を認識し、認識したユーザの行動内容及び記録日時を示す情報を行動履歴記憶部に記録する言語処理部と、行動履歴記憶部から、ユーザの行動内容及び記録日時を示す情報を取得して端末に出力する出力部と、を有する。
【０００７】
本発明の一態様に係る記録方法は、ユーザが利用する端末と通信する記録サーバが実行する記録方法であって、ユーザから入力されたメッセージを解釈することでユーザの行動内容を認識し、認識したユーザの行動内容及び記録日時を示す情報を行動履歴記憶部に記録するステップと、行動履歴記憶部から、ユーザの行動内容及び記録日時を示す情報を取得して端末に出力するステップと、を有する。
【０００８】
本発明の一態様に係るプログラムは、ユーザが利用する端末と通信するコンピュータに実行させるプログラムであって、ユーザから入力されたメッセージを解釈することでユーザの行動内容を認識し、認識したユーザの行動内容及び記録日時を示す情報を行動履歴記憶部に記録するステップと、行動履歴記憶部から、ユーザの行動内容及び記録日時を示す情報を取得して端末に出力するステップと、を有する。
【発明の効果】
【０００９】
本発明によれば、有価証券の取引に対する振り返りを容易に行うことができるようにするために、有価証券の取引に関する投資家自身の行動を記録して参照可能とする技術を提供することができる。
【図面の簡単な説明】
【００１０】
【図１】本実施形態に係る投資行動記録システムの一例を示す図である。
【図２】本実施形態に係る記録サーバの機能構成の一例を示す図である。
【図３】行動履歴ＤＢ及び銘柄ＤＢの一例を示す図である。
【図４】本実施形態に係る端末の機能構成の一例を示す図である。
【図５】会話例を示す図である。
【図６】会話例を示す図である。
【図７】会話例を示す図である。
【図８】株式投資に関するユーザの行動等を時系列で表示する際の表示例を示す図である。
【図９】株式投資に関するユーザの行動等をグラフ形式で表示する際の表示例を示す図である。
【図１０】各銘柄の購入目的を一覧表示する際の表示例を示す図である。
【発明を実施するための形態】
【００１１】
添付図面を参照して、本発明の好適な実施形態について説明する。各図において、同一の符号を付したものは、同一又は同様の構成を有する。以下の説明において、有価証券取引として株式の取引を例に説明するが、本行動記録システムは、株式の取引に限定されず、有価証券の取引全般を含む、ユーザのあらゆる行動の記録に適用することが可能である。
【００１２】
図１は、本実施形態に係る投資行動記録システムの一例を示す図である。本実施形態に係る投資行動記録システムは、有価証券の取引に関するユーザ（投資家）の投資行動を記録する記録サーバ１０と、ユーザが利用する端末２０と、株式等の実際の取引を行う取引サーバ３０と、外部サーバ４０とを有する。図１には外部サーバ４０が１つ図示されているが、本投資行動記録システムは複数の外部サーバ４０を有していてもよい。
【００１３】
記録サーバ１０は、ユーザとの間で自然文での対話を行う対話エンジンを備えており、端末２０が備える画面にてユーザから入力されたメッセージを解釈することでユーザの意図を理解し、ユーザの意図に応じた処理（例えば、株式の売買等）を行う。また、記録サーバ１０は、ユーザの意図に応じて行った処理を、株式取引に関するユーザの行動として記録しておき、記録したユーザの行動の内容を時系列で端末２０に表示させる機能を有する。
【００１４】
また、記録サーバ１０は、ユーザから入力されたメッセージを解釈することで株式取引を通してユーザが抱く感情を認識し、認識したユーザの感情を、株式取引に関するユーザの行動と併せて記録しておくと共に、認識したユーザの感情に応じた所定のコンテンツ（例えば株価が下落してユーザが落ち込んでいる場合は、明るい音楽等）を外部サーバ４０から取得してユーザに通知する機能を有する。また、記録サーバ１０は、ユーザが気になる銘柄として登録を指示した株式銘柄又はユーザが購入した株式銘柄に関するニュース等をユーザに通知する機能等を有する。なお、ユーザが気になる株式銘柄について登録を指示することを、「お気に入り登録」と言う。
【００１５】
記録サーバ１０は、プロセッサ、メモリ及び記憶装置を含んで構成される。なお、記録サーバ１０は、１つの情報処理装置として実現されていてもよいし、それぞれ独立した複数の情報処理装置として実現されてもよい。また、記録サーバ１０は、仮想サーバ又はクラウドサーバを用いて実現されていてもよい。
【００１６】
端末２０は、プロセッサ、メモリ及び記憶装置を含んで構成され、ユーザが入力したメッセージと、記録サーバ１０から出力されたメッセージとをチャット形式で表示する機能を備えている。端末２０としては、主に、スマートフォン又はタブレット端末を想定しているが、これに限定されず、パーソナルコンピュータ（ＰＣ）、ノートＰＣ、携帯情報端末（ＰＤＡ）、家庭用ゲーム機器、ＰＨＳなど、通信機能を備えたあらゆる端末を用いることができる。
【００１７】
端末２０及び記録サーバ１０は、チャット形式によるメッセージの入出力に代えて、音声によるメッセージの入出力を行うようにしてもよい。例えば、端末２０又は記録サーバ１０に音声認識機能及び音声合成機能を備えておくことで、ユーザとの間で音声によるメッセージの入出力を実現することができる。また、端末２０及び記録サーバ１０は、ユーザのジェスチャーや目の動き等によってメッセージの入力を行うようにしてもよい。
【００１８】
取引サーバ３０は、株式等の実際の取引を行うサーバであり、証券口座の管理、お気に入り登録銘柄の管理、及び、実際の株式の売買等を行うサーバである。
【００１９】
外部サーバ４０は、第３者により提供されるサーバを想定しており、例えば、企業のＩＲ（Investor Relations）情報等を提供するＷｅｂサーバ、株式市場等に関する各種のニュースを配信するサーバ、音楽、動画、ゲーム、グルメ情報等のコンテンツを提供するサーバである。なお、外部サーバ４０は、必ずしも第３者により提供されるサーバではなく、自社で提供するサーバであってもよい。
【００２０】
＜機能構成＞
図２は、本実施形態に係る記録サーバ１０の機能構成の一例を示す図である。本実施形態に係る記録サーバ１０は、言語処理部１０１と、出力部１０２と、情報収集部１０３と、外部連携部１０４と、記憶部１０５とを有する。これらの各機能部は、記録サーバ１０のメモリに記憶されたプログラムが、ＣＰＵに実行させる処理により実現され得る。また、当該プログラムは、記憶媒体に格納することができる。また、記憶部１０５は、記録サーバ１０が備えるメモリ若しくは記憶装置、又は、記録サーバ１０にネットワークで接続された記憶装置等を用いて実現され得る。
【００２１】
言語処理部１０１は、ユーザとの間で自然文での対話を行う対話エンジン１０１１を含む。対話エンジン１０１１は、端末２０を介してユーザから入力されたメッセージを解釈し、ユーザの意図に応じた所定の処理を行う機能、ユーザから入力されたメッセージに対する応答メッセージを生成して端末２０に送信する機能、ユーザに通知すべき情報を含むメッセージを生成して端末２０に送信する機能を有する。また、言語処理部１０１は、音声を認識して文字列に変換する機能（音声認識機能）、及び、文字列から音声に変化する機能（音声合成機能）を備えていてもよい。
【００２２】
また、言語処理部１０１は、履歴記録部１０１２を含む。対話エンジン１０１１は、ユーザから入力されたメッセージを解釈することで、株式取引についてのユーザの行動内容を認識し、認識した行動内容を履歴記録部１０１２に通知する。履歴記録部１０１２は、対話エンジン１０１１から通知されたユーザの行動内容を、ユーザの行動内容を記録するデータベース（以下、「行動履歴ＤＢ」と言う。）に記録する。より具体的には、履歴記録部１０１２は、対話エンジン１０１１から通知されたユーザの行動内容及び日時（行動履歴ＤＢに記録する日時）を示す情報を、行動履歴ＤＢに記録する。
【００２３】
株式取引についてのユーザの行動内容とは、ユーザが気になる株式銘柄をお気に入り登録すること、ユーザが株式の売買を指示すること等である。例えば、ユーザから入力されたメッセージに、「銘柄ｘｘｘをお気に入り登録しておいて」という文言が含まれている場合、対話エンジン１０１１は、銘柄ｘｘｘを登録するように取引サーバ３０に指示すると共に、銘柄ｘｘｘをお気に入り登録したことを、ユーザの行動内容として履歴記録部１０１２に通知する。また、例えば、ユーザから入力されたメッセージに、「銘柄ｘｘｘを１００株購入して」という文言が含まれている場合、対話エンジン１０１１は、銘柄ｘｘｘについて１００株の購入を取引サーバ３０に依頼すると共に、銘柄ｘｘｘを１００株購入したことを、ユーザの行動内容として履歴記録部１０１２に通知する。
【００２４】
また、対話エンジン１０１１は、ユーザから入力されたメッセージを解釈することで、株式取引を通じてユーザが抱く感情を認識し、認識したユーザの感情を履歴記録部１０１２に通知する。履歴記録部１０１２は、対話エンジン１０１１から通知されたユーザの感情及び日時（ユーザの感情を行動履歴ＤＢに記録する日時）を行動履歴ＤＢに記録する。
【００２５】
対話エンジン１０１１は、ユーザの感情として、例えば、“嬉しい”（例えば儲かったと感じた時に抱く感情）、“期待している”（例えば株価上昇を期待している時に抱く感情）、“がっかり”（例えば株価が下落して落ち込んでいる時に抱く感情）及び“我慢”（例えば株価復活又は更なる上昇を期待している時に抱く感情）”の４種類を、株式取引についてのユーザの感情として認識するようにしてもよい。これらの感情はあくまで一例でありこれに限定されるものではない。対話エンジン１０１１は、更に多くの感情を認識するようにしてもよい。
【００２６】
また、対話エンジン１０１１は、ユーザから入力されたメッセージを解釈することで、株式取引についてのユーザのコメント（つぶやき）を認識し、認識したユーザのコメントを履歴記録部１０１２に通知するようにしてもよい。履歴記録部１０１２は、言語処理部１０１から通知されたコメントを日時（コメントを行動履歴ＤＢに記録する日時）と共に行動履歴ＤＢに記録する。
【００２７】
また、対話エンジン１０１１は、ユーザがお気に入り登録した株式銘柄又はユーザが購入した株式銘柄に関する情報を含むメッセージを端末２０に送信する。当該情報とは、例えば、ユーザがお気に入り登録した株式銘柄又はユーザが購入した株式銘柄の株価、ＩＲ情報、ニュース、評価損益、配当金、配当利回り、投資スタイルに基づく売買タイミングのアドバイス等である。なお、対話エンジン１０１１は、株式取引についてのユーザの行動内容を認識した際や、ユーザがお気に入り登録した株式銘柄又はユーザが購入した株式銘柄に関する情報を含むメッセージを端末２０に送信した際に、ユーザに対して感情の入力を促すメッセージ（例えば、「今の気持ちは？」というメッセージ等）を端末２０に送信するようにしてもよい。
【００２８】
また、対話エンジン１０１１は、ユーザから入力されたメッセージを解釈することで、ユーザが購入した株式銘柄について購入目的及び／又は投資スタイルを認識し、認識した購入目的及び／又は投資スタイルを履歴記録部１０１２に通知する。履歴記録部１０１２は、対話エンジン１０１１から通知された購入目的及び／又は投資スタイルを、各銘柄の購入目的等を記録するデータベース（以下「銘柄ＤＢ」と言う。）に記録する。なお、投資スタイルとは、例えば、その株式銘柄を、長期に保持する予定で投資（長期投資）するのか、又は短期で売却する予定で投資するのか（短期投資）を意味する。
【００２９】
また、対話エンジン１０１１は、ユーザから入力されたメッセージを解釈することで、ユーザに通知すべき情報の内容と当該情報を通知すべきタイミングとしてユーザから指定された条件とを認識し、指定された条件が満たされたタイミングで当該情報を端末２０に送信するようにしてもよい。ユーザに通知すべき情報とは、例えば、ユーザがお気に入り登録した銘柄の株価がユーザから指定された株価になったこと、ユーザが購入した銘柄の評価損益がユーザから指定された評価損益になったこと等である。
【００３０】
出力部１０２は、行動履歴ＤＢからユーザの行動内容とその行動内容が記録された日時とを取得して端末２０に出力する。出力されたユーザの行動内容は、端末２０の画面にて時系列順に並べて表示される。また、出力部１０２は、行動履歴ＤＢからユーザの感情とその感情が記録された日時を取得して端末２０に出力するようにしてもよい。出力されたユーザの行動内容及びユーザの感情は、端末２０の画面にて時系列順に並べて表示される。また、出力部１０２は、対話エンジン１０１１で取得されて銘柄ＤＢに記録された株式銘柄ごとの購入目的を、ユーザが購入した株式銘柄ごとに対応づけて端末２０に出力する。出力された株式銘柄ごとの購入目的は、端末２０の画面にて一覧表示される。
【００３１】
情報収集部１０３は、外部サーバ４０から、各企業のＩＲ情報、株式市場に関するニュース等を収集して分析する機能を有する。収集及び分析された情報は、例えば、ユーザがお気に入り登録した株式銘柄又は購入済みの株式銘柄に関連する情報として言語処理部１０１から端末２０に送信される。
【００３２】
外部連携部１０４は、対話エンジン１０１１においてユーザから入力されたメッセージからユーザの感情が認識された際に、認識されたユーザの感情に応じた所定のコンテンツを外部サーバ４０に要求する機能を有する。また、外部連携部１０４は、要求した所定のコンテンツを外部サーバ４０から取得する機能を有する。取得した所定のコンテンツは、対話エンジン１０１１からユーザに送信するメッセージに含まれて端末２０に送信される。なお、ユーザの感情に応じた所定のコンテンツとは、ユーザが“がっかり”の感情を抱いている場合、例えば、明るい音楽、元気が出るグルメのグルメ情報など、ユーザを元気にさせるようなコンテンツである。また、ユーザが“我慢”の感情を抱いている場合、例えば、お笑い動画などユーザの気を紛らわせるようなコンテンツである。
【００３３】
記憶部１０５は、行動履歴ＤＢ及び銘柄ＤＢを格納する。行動履歴ＤＢ及び銘柄ＤＢは、ユーザごとに個別に格納される。図３（ａ）に、行動履歴ＤＢの一例を示す。「記録日時」フィールドには、行動履歴ＤＢに情報が記録された日時が格納される。「銘柄」フィールドには、株式銘柄の銘柄名又は銘柄コードが格納される。「行動内容」フィールドには、対話エンジン１０１１で認識されたユーザの行動内容（例えば、お気に入り登録、株式購入、株式売却等）が格納される。「取引内容」フィールドは、ユーザが株式の購入又は株式の売却を行った場合に、ユーザが行った取引の内容が格納される。「取引内容」フィールドには、例えば、購入株式数若しくは売却株式数、購入価格（取得価格）若しくは売却価格、及び売却損益（株式売却の場合のみ）等が格納される。「感情」フィールドには、対話エンジン１０１１がユーザの感情を認識した場合に、認識したユーザの感情（例えば、嬉しい、期待している、がっかり、我慢等）が格納される。「コメント」フィールドには、対話エンジン１０１１がユーザのコメントを認識した場合に、認識したユーザのコメントが格納される。
【００３４】
図３（ｂ）に、銘柄ＤＢの一例を示す。「銘柄」フィールドには、ユーザが購入した株式銘柄の銘柄名又は銘柄コードが格納される。「購入目的」フィールドには、対話エンジン１０１１がユーザから入力されたメッセージを解釈することで認識した、ユーザが購入した株式銘柄の購入目的が格納される。「投資スタイル」フィールドには、対話エンジン１０１１が認識した、ユーザが購入した株式銘柄の投資スタイルが格納される。
【００３５】
以上説明したように、対話エンジン１０１１は、ユーザから入力されたメッセージから、株式取引についてのユーザの行動内容、株式取引を通じてユーザが抱く感情、株式取引についてのユーザのコメント（つぶやき）、ユーザが購入した株式銘柄の購入目的、及び、ユーザが購入した株式銘柄の投資スタイルを認識する。これらの認識を行う処理方法についてはどのような処理方法が用いられてもよいが、例えば、対話エンジン１０１１は、ユーザから入力されたメッセージに含まれる名詞や動詞等を、形態素解析等を用いて抽出し、抽出した名詞や動詞等と予め用意された辞書とを比較することで、これらの認識行うようにしてもよい。
【００３６】
また、対話エンジン１０１１は、ユーザが入力したメッセージと当該メッセージに対するシステムの応答ルールを定義した対話シナリオを用いることで、ユーザから必要な情報を引き出すようにしてもよい。例えば、ユーザが株式の注文を行う場合において、ユーザが入力したメッセージの中に株式数が含まれていない場合に購入したい株式数を尋ねるメッセージをユーザに返すという動作を対話シナリオに記述しておくことで、対話エンジン１０１１は、購入する株式数が不明な場合に株式数を尋ねるメッセージをユーザに返すという動作を行うことができる。また、対話シナリオに、株式の購入に関する一連のメッセージのやり取りが完了した後、その銘柄の購入目的や購入した時点の感情（気持ち）などを尋ねるメッセージをユーザに返すという一連の動作を対話シナリオに記述しておくことで、対話エンジン１０１１は、株式の購入が完了した後、その銘柄の購入目的や購入した時点の感情（気持ち）などを尋ねるといった動作を行うことができる。
【００３７】
図４は、本実施形態に係る端末２０の機能構成の一例を示す図である。本実施形態に係る端末２０は、通信部２０１と、入力部２０２と、表示部２０３とを有する。これらの各機能部は、端末２０のメモリに記憶されたプログラムが、ＣＰＵに実行させる処理により実現され得る。また、当該プログラムは、記憶媒体に格納することができる。
【００３８】
通信部２０１は、記録サーバ１０と通信を行い、入力部２０２で入力されたメッセージの送信、及び、表示部２０３に表示する画面の生成に必要な情報の受信を行う。
【００３９】
入力部２０２は、例えばタッチパネルやキーボード等を介して、ユーザからの入力を受け付ける。表示部２０３は、記録サーバ１０から受信した情報を端末２０が備えるタッチパネル等の画面に表示する。
【００４０】
＜動作例＞
（行動履歴の記録）
続いて、記録サーバ１０が会話の内容に基づいてユーザの行動履歴を記録していく動作の具体例を、ユーザと記録サーバ１０との間で行われる会話例を用いて説明する。
【００４１】
図５に示すＭ１０１〜Ｍ１１３の会話は、株式の購入が行われる際に、ユーザＡと記録サーバ１０との間で行われる会話例である。ユーザＡは、取引サーバ３０に証券口座を開設済みである前提とする。
【００４２】
まず、ユーザＡからメッセージＭ１０１が通知される。記録サーバ１０の言語処理部１０１は、メッセージＭ１０１を解釈し、ユーザＡが、銘柄ｘｘｘをお気に入り登録することを要求していると認識する。言語処理部１０１は、取引サーバ３０に、ユーザＡのアカウントに銘柄ｘｘｘをお気に入り登録することを指示すると共に、ユーザＡの行動履歴ＤＢに、ユーザＡの行動内容として、銘柄ｘｘｘをお気に入り登録したことを記録する。具体的には、言語処理部１０１は、ユーザＡの行動履歴ＤＢの「記録日時」フィールドに現在の日時を記録し、「銘柄」フィールドに銘柄ｘｘｘの銘柄コードを記録し、「行動内容」フィールドに“お気に入り登録”を記録する。続いて、言語処理部１０１は、お気に入り登録が完了したこと、及びユーザがお気に入り登録したことについてコメントを尋ねるメッセージＭ１０２を返信する。
【００４３】
続いて、ユーザＡから、メッセージＭ１０２に対する返信メッセージＭ１０３が通知される。記録サーバ１０の言語処理部１０１は、メッセージＭ１０３を解釈することで、ユーザのコメントを認識し、認識したコメントをユーザＡの行動履歴ＤＢに記録する。具体的には、言語処理部１０１は、メッセージＭ１０１でユーザＡが銘柄ｘｘｘをお気に入りに登録したことを記録したレコードの「コメント」フィールドに、“ＡＩ銘柄で良さそうだから。”を記録する。
【００４４】
メッセージＭ１０１〜Ｍ１０３の動作は、例えば対話シナリオに、ユーザからお気に入り登録が要求された場合、お気に入り登録したことについてコメントを尋ねるメッセージを送信し、ユーザからの返信メッセージを行動履歴ＤＢの「コメント」フィールドに記録するという一連の挙動を記述しておくことで実現可能である。
【００４５】
続いて、ユーザＡから、株価の通知を依頼するメッセージＭ１０４が通知される。言語処理部１０１は、メッセージＭ１０４を解釈することで銘柄ｘｘｘについて株価が２０００円に近づいた場合にユーザＡに通知すべきことを認識し、通知条件（銘柄ｘｘｘの株価が２０００円に近づいた場合）と、通知先（ユーザＡ）と、通知内容（銘柄ｘｘｘの株価が２０００円に近づいたこと）とをメモリに記憶しておく。なお、株価がいくらになった場合に“近づいた”と判定するのかについては、予め言語処理部１０１内に処理ロジックとして定義しておくことで対応可能である。
【００４６】
続いて、言語処理部１０１は、株価の通知依頼を受け付けたことを示すメッセージＭ１０５を返信する。また、言語処理部１０１は、取引サーバ３０に銘柄ｘｘｘの株価を問い合わせることで銘柄ｘｘｘの株価が２０００円に近づいたことを認識すると、銘柄ｘｘｘの株価が２０００円に近づいたことをユーザＡに通知するメッセージＭ１０６を送信する。
【００４７】
続いて、ユーザＡから、「銘柄ｘｘｘについて、１０００株、２０００円で指しで、期間は２月末まで、特定口座で注文入れて欲しい。」とのメッセージＭ１０７が通知される。言語処理部１０１は、メッセージＭ１０７を解釈し、ユーザＡが、銘柄ｘｘｘの注文を要求していることを認識する。言語処理部１０１は、取引サーバ３０に銘柄ｘｘｘについて注文を指示し、ユーザＡの注文が約定したとの通知を取引サーバ３０から受けた場合に、注文が約定したことを通知するメッセージＭ１０９をユーザＡに送信する。また、記録サーバ１０の言語処理部１０１は、ユーザＡの行動履歴ＤＢに、ユーザＡの行動内容として、銘柄ｘｘｘを購入したことを記録する。具体的には、言語処理部１０１は、ユーザＡの行動履歴ＤＢの「記録日時」フィールドに現在の日時を記録し、「銘柄」フィールドに銘柄ｘｘｘの銘柄コードを記録し、「行動内容」フィールドに“株式購入”を記録し、「取引内容」フィールドに、購入価格及び購入株式数を記録する。
【００４８】
続いて、言語処理部１０１は、ユーザＡに対し、銘柄ｘｘｘの購入目的を尋ねるメッセージＭ１１０を送信し、ユーザＡから返信されたメッセージＭ１１１の内容を、ユーザＡの銘柄ＤＢに記録する。具体的には、ユーザＡの銘柄ＤＢの「銘柄」フィールドに銘柄ｘｘｘの銘柄コードを記録し、「購入目的」フィールドに、メッセージＭ１１１の内容（“老後資金にするつもり”）を記録する。また、言語処理部１０１は、メッセージＭ１１１の内容から、ユーザＡが銘柄ｘｘｘを短期で売買するのではなく長期に投資する予定で購入したことを推測し、「投資スタイル」フィールドに、長期投資予定であることを示すフラグを記録する。なお、言語処理部１０１は、長期投資予定であることを推測できるキーワード及び短期投資予定であることを推測できるキーワードを大量に記述した知識データを予め保持しておき、ユーザからのメッセージにこれらのキーワードが含まれているか否かを検索することで、その銘柄の投資スタイルを認識するようにしてもよい。また、言語処理部１０１は、ユーザからのメッセージのみでは投資スタイルを認識できない場合、ユーザＡに対し、その銘柄は長期投資予定なのか短期投資予定なのかを尋ねるメッセージを送信するようにしてもよい。
【００４９】
続いて、言語処理部１０１は、ユーザＡに対し、銘柄ｘｘｘを購入した時点でのユーザＡの感情を尋ねるメッセージＭ１１２を送信し、ユーザＡから返信されたメッセージＭ１１３の内容を、ユーザＡの銘柄ＤＢに記録する。具体的には、ユーザＡの行動内容として、銘柄ｘｘｘを購入したことを記録したレコードの「感情」フィールドに、ユーザの感情を示す“期待している”を記録する。
【００５０】
メッセージＭ１０９〜Ｍ１１３の動作は、例えば対話シナリオに、注文が約定したら、購入目的と投資スタイルと今の気持ちを尋ねる、という一連の挙動を記述しておくことで実現可能である。
【００５１】
図５に示すＭ１１４〜Ｍ１１６の会話は、記録サーバ１０側からユーザに対し、通知すべき情報の有無を問い合わせる場合の会話例である。記録サーバ１０は、例えば、株式の購入が行われた場合など、所定のタイミングで、通知すべき情報の有無を問い合わせるようにしてもよい。
【００５２】
言語処理部１０１は、通知すべき情報の有無を問い合わせるメッセージＭ１１４をユーザＡに送信する。続いて、ユーザＡから、「評価損が−１０％になったら教えて」とのメッセージＭ１１５が通知される。言語処理部１０１は、メッセージＭ１１５を解釈することで、銘柄ｘｘｘの評価損が−１０％になったタイミングでユーザＡに通知すべきことを認識し、当該タイミングをメモリに記憶しておく。また、通知すべき内容を受け付けたことを示すメッセージＭ１１６をユーザＡに送信する。
【００５３】
図５に示すＭ１１７〜Ｍ１１８の会話は、記録サーバ１０側からユーザに対し、情報の通知を行う場合の会話例である。記録サーバ１０は、メッセージＭ１１７及びメッセージＭ１１８で、ユーザＡに対し、銘柄ｘｘｘの企業から届いたお礼状を送信する。例えば、銘柄によっては、その銘柄の企業から株式取得したユーザに対してお礼状を送信するといったケースが存在する。このようなケースについては、ユーザがある特定の銘柄の株式を購入した場合に、その銘柄の企業からお礼通知を送信するというような対話シナリオを予め設定しておくことで、当該特定の銘柄を購入したユーザに対してお礼状を送るといった動作を実現可能である。
【００５４】
図６に示すＭ２０１〜Ｍ２０７の会話は、図５のメッセージＭ１１５により予めユーザから通知を依頼されていた情報の通知（評価損が−１０％になったことを通知）を行う場合の会話例である。
【００５５】
言語処理部１０１は、メッセージＭ１１５で依頼されていた通知条件を満たしたことを検出し、ユーザＡに対して評価額が−１０％になったことを通知すると共に、株式を売却するか否かを尋ねるメッセージＭ２０１を送信する。なお、ユーザから依頼された通知条件を満たした場合に、単に通知のみを行うのか、又は、通知に加えて次のアクション（例えば売却等）も尋ねるのかについては、ユーザから依頼された通知条件の内容に従い、予め対話シナリオに記述しておくことで切り替えるようにしてもよい。例えば、株価や評価額に関する通知を行う際には株式を売却するか否かを尋ねるように、対話シナリオに記述しておくようにしてもよい。
【００５６】
続いて、ユーザＡは、株式を保有しておくとのメッセージＭ２０２を送信する。言語処理部１０１は、メッセージＭ２０２を解釈し、ユーザＡが銘柄ｘｘｘの株式を売却する意思がないことを認識する。言語処理部１０１は、ユーザＡに対し、銘柄ｘｘｘを売却しないと判断したユーザＡの感情を尋ねるメッセージＭ１２０３を送信し、ユーザＡから返信されたメッセージＭ２０４の内容を、ユーザＡの銘柄ＤＢに記録する。具体的には、言語処理部１０１は、「記録日時」フィールドに現在の日時を記録し、「感情」フィールドにユーザの感情を示す“我慢”を記録する。
【００５７】
続いて、言語処理部１０１は、ユーザに気分転換を促すメッセージＭ２０５を送信する。ユーザＡは、メッセージＭ２０５に対する応答メッセージＭ２０６を送信する。言語処理部１０１の外部連携部１０４は、外部サーバ４０に対し、ユーザの感情が“我慢”であることに対応する音楽をリクエストし、外部サーバ４０から通知された音楽のコンテンツのＵＲＬを含むメッセージＭ２０７をユーザに送信する。メッセージＭ２０４〜Ｍ２０７の会話は、例えば、ユーザの感情を認識した場合に、認識したユーザの感情に応じたコンテンツを外部サーバ４０にリクエストするという動作を、予め対話シナリオに記述しておくことで実現可能である。なお、端末２０は、通知されたコンテンツをユーザが実際に視聴したか否かを記録サーバ１０に通知し、言語処理部１０１は、通知されたコンテンツをユーザが実際に視聴したか否かを行動履歴ＤＢ等に記録しておくようにしてもよい。当該記録を参照することで、通知されたコンテンツの内容が適切であったか否かを事後的に判断することが可能になる。
【００５８】
図６に示すＭ３０１〜Ｍ３０２の会話は、ユーザから依頼された質問事項に回答する場合の会話例である。まず、ユーザＡは、銘柄ｘｘｘの会社に関する分析を質問するメッセージＭ３０１を送信する。言語処理部１０１は、ユーザが銘柄ｘｘｘの会社について分析した情報の通知を希望していることを認識し、情報収集部１０３で収集及び分析されている銘柄ｘｘｘの会社に関する情報を取得し、取得した情報を含むメッセージＭ３０２を送信する。
【００５９】
図６に示すＭ４０１〜Ｍ４０４の会話は、ユーザが購入した銘柄に関する情報通知及び投資スタイルに基づく売買タイミングのアドバイス（レコメンド）を行う場合の会話例である。例えば言語処理部１０１は、ユーザが購入した銘柄でゴールデンクロスが到達すると判定される場合に、そのことを通知するメッセージＭ４０１を送信する。続いて、ユーザから、売買に関する質問を含むメッセージＭ４０２が送信される。言語処理部１０１は、ユーザの銘柄ＤＢから、ゴールデンクロスが到達すると判定された銘柄の投資スタイルを取得し、取得した投資スタイルに基づく売買タイミングのアドバイスを含むメッセージＭ４０３を送信する。このような動作を実現するために、例えば、株価の推移及び投資スタイルとユーザに提示するアドバイス内容とを大量に記述したテンプレートを多数用意しておき、言語処理部１０１は、当該テンプレートに従って、ユーザに通知すべき売買タイミングのアドバイスを決定するようにしてもよい。また、例えば、言語処理部１０１は、株価の推移及び投資スタイルを所定のアルゴリズムに入力することで、ユーザに通知すべき売買タイミングのアドバイスを決定するようにしてもよい。
【００６０】
図７に示すＭ５０１〜Ｍ５０４の会話は、ユーザが購入した銘柄以外の銘柄に関する情報通知を希望する場合の会話例である。まず、ユーザＡは、お勧め銘柄を質問するメッセージＭ５０１を送信する。続いて、言語処理部１０１は、お勧め銘柄の分野を尋ねるメッセージＭ５０２を送信し、ユーザから返信されたメッセージＭ５０３を解釈することでお勧め銘柄を決定し、決定した銘柄を回答するメッセージＭ５０４を送信する。
【００６１】
メッセージＭ５０１〜Ｍ５０４の動作は、例えば対話シナリオに、ユーザからお勧め銘柄を要求された場合で、ユーザが所望する銘柄の分野がユーザから示されていない場合、ユーザに対して興味のある分野を尋ねる、という動作を対話シナリオに記述しておくことで実現可能である。なお、お勧め銘柄として記録サーバ１０からユーザに回答する銘柄は、銘柄の分野等の単位で予めテンプレートとして用意されていてもよい。
【００６２】
図７に示すＭ６０１〜Ｍ６０９の会話は、ユーザが株式を売却する際の会話例である。まず、ユーザＡから、株式の売却を要求するメッセージＭ６０１が通知される。言語処理部１０１は、メッセージＭ１０７を解釈し、ユーザＡが、銘柄ｘｘｘの売却を要求していることを認識すると共に、注文を入れる期間がメッセージＭ６０１に含まれていないことを認識し、注文を入れる期間を尋ねるメッセージＭ６０２をユーザＡに送信する。ユーザから注文を入れる期間を回答するメッセージＭ６０３を受信すると、言語処理部１０１は、取引サーバ３０に、銘柄ｘｘｘについて売却の注文を指示し、取引サーバ３０から注文が約定したとの通知を受けた場合に、注文が約定したことを通知するメッセージＭ６０４をユーザＡに送信する。また、言語処理部１０１は、ユーザＡの行動履歴ＤＢに、ユーザＡの行動内容として銘柄ｘｘｘを売却したことを記録する。具体的には、言語処理部１０１は、ユーザＡの行動履歴ＤＢの「記録日時」フィールドに現在の日時を記録し、「銘柄」フィールドに銘柄ｘｘｘの銘柄コードを記録し、「行動内容」フィールドに“株式売却”を記録し、「取引内容」フィールドに、売却価格、売却株式数及び売却損益を記録する。
【００６３】
続いて、言語処理部１０１は、ユーザＡに対し、銘柄ｘｘｘの売却理由を尋ねるメッセージＭ６０６を送信し、ユーザＡから返信されたメッセージＭ６０７の内容を、ユーザＡの行動履歴ＤＢに記録する。具体的には、言語処理部１０１は、メッセージＭ６０４でユーザＡが株式を売却したことを記録したレコードの「コメント」フィールドに、“洗濯機買おうと思って”を記録する。
【００６４】
続いて、言語処理部１０１は、ユーザＡに対し、銘柄ｘｘｘを売却した時点でのユーザＡの感情を尋ねるメッセージＭ６０８を送信し、ユーザＡから返信されたメッセージＭ６０９の内容を、ユーザＡの銘柄ＤＢに記録する。具体的には、ユーザＡの行動内容として、銘柄ｘｘｘを売却したことを記録したレコードの「感情」フィールドに、ユーザの感情を示す“嬉しい”を記録する。
【００６５】
メッセージＭ６０５〜Ｍ６０９の動作は、例えば対話シナリオに、注文が約定したら、売却理由及び売却時の感情を尋ねる、という一連の挙動を記述しておくことで実現可能である。
【００６６】
（行動履歴の一覧表示）
続いて、ユーザと記録サーバ１０との間で行われる会話の内容に基づいて記録されたユーザの行動履歴を端末２０に表示する際の表示例について説明する。
【００６７】
図８は、株式投資に関するユーザの行動等を時系列で表示する際の表示例を示す図である。図８に示すように、端末２０の表示部２０３は、指定された銘柄の銘柄名と、指定された銘柄についてユーザの行動履歴ＤＢに格納されている情報と、その銘柄に関する関連情報（ニュース等）を、時系列で表示する。
【００６８】
なお、図８のうち、「２０１６／１０／３０  上期決算。初の黒字。」の履歴は、指定された銘柄ｘｘｘに関するニュースの一例である。それ以外の履歴については、行動履歴ＤＢの「記録日時」、「行動内容」、「取引内容」又は「コメント」に記録されていた内容の一例である。
【００６９】
また、図８の右上には、ユーザの感情を表すアイコン１００１が表示されている。本実施形態では、行動履歴ＤＢの「感情」フィールドに記録されるユーザの感情（“嬉しい”、“期待している”、“がっかり”、“我慢”）ごとにアイコンが予め定められており、図８に示す画面には、例えば、最新のユーザの感情に対応するアイコンを表示するようにしてもよい。最新のユーザの感情とは、行動履歴ＤＢのうち、「記録日時」フィールドが最も新しいレコードの「感情」フィールドに格納されている感情を意図している。
【００７０】
図９は、株式投資に関するユーザの行動等をグラフ形式で表示する際の表示例を示す図である。図９に示すように、端末２０の表示部２０３は、指定された銘柄の銘柄名と、指定された銘柄の購入目的と、指定された銘柄の株価の推移と、当該銘柄がお気に入り登録されたタイミングと、当該銘柄について売買が行われた際の株価と、購入（又は売却）株式数と、当該銘柄について売買が行われたタイミングでのユーザの感情を示すアイコンと、ユーザの証券口座の口座残高の推移とをグラフ形式で表示する。
【００７１】
図９に示す画面に表示する項目は、タブ２００１により任意に選択可能としてもよい。例えば、指定された銘柄の株価の推移を示すグラフに、ユーザの感情を示すアイコンに代えて（又は加えて）、その銘柄に関する関連情報（市況、コーポレートニュース等）を表示するように切り替え可能にしてもよい。また、図９に示すグラフ形式の画面について、複数の銘柄を重ねて表示可能としてもよい。
【００７２】
図８及び図９に示す表示を実現するために、記録サーバ１０の出力部１０２は、端末２０から指定されたユーザ及び銘柄について、指定されたユーザの行動履歴ＤＢから、指定された銘柄に関する「記録日時」、「行動内容」、「取引内容」、「感情」及び「コメント」を抽出して端末２０に出力する。また、出力部１０２は、更に、指定された銘柄に関する関連情報（市況、コーポレートニュース等）、その関連情報が発表された日時、株価の推移、及び口座残高の推移を端末２０に出力する。指定された銘柄に関する関連情報（市況、コーポレートニュース等）は、情報収集部１０３が外部サーバ４０から収集するようにしてもよい。同様に、株価の推移及び口座残高の推移は、情報収集部１０３が取引サーバ３０から収集するようにしてもよい。
【００７３】
また、図８及び図９に表示する画面に、日時ごとの天気を表示するようにしてもよい。この場合、出力部１０２は、過去の天気を、情報収集部１０３を介して外部サーバ４０より収集して端末２０に送信するようにしてもよい。
【００７４】
（保有銘柄の一覧表示）
続いて、ユーザが保有する銘柄の一覧を端末２０の画面に表示する際の表示例について説明する。図１０は、各銘柄の購入目的を一覧表示する際の表示例を示す図である。図１０に示すように、端末２０の表示部２０３は、ユーザが保有中及び過去に保有していた銘柄について、保有株数、現在の株価、評価損益（過去に保有していた銘柄については最終的な損益）及びその銘柄の購入目的を一覧表示する。また、その銘柄の購入目的には、購入目的に応じたアイコン（アイコンＡ〜Ｆ）を表示するようにしてもよい。また、過去に保有していた銘柄については、表示要否を任意に切り替え可能にしてもよい。
【００７５】
図１０に示す表示を実現するために、記録サーバ１０の出力部１０２は、端末２０から指定されたユーザの銘柄ＤＢから、「銘柄」及び「購入目的」を抽出して端末２０に出力する。また、出力部１０２は、ユーザが保有している銘柄及び過去に保有していた銘柄について、保有株数、現在の株価、評価損益（又は最終的な損益）を、情報収集部１０３を介して取引サーバ３０から取得して端末２０に出力する。なお、購入目的に応じたアイコンとして表示するアイコンは、購入目的に含まれる文字列に基づき、出力部１０２が決定して端末２０に通知するようにしてもよい。例えば、銘柄ｄｄｄの購入目的には“孫”の文言が含まれているため、出力部１０２は、子供の絵を含むアイコンを銘柄ｄｄｄに表示するアイコンとして決定し、決定したアイコンの画像又は決定したアイコンの画像を特定可能な識別子を端末２０に出力するようにしてもよい。
【００７６】
以上、本実施形態に係る投資行動記録システムについて説明した。本実施形態によれば、特定の銘柄についてユーザが自ら行った行動が自動的に記録され、端末２０の画面に時系列で表示されることになる。これにより、ユーザは株式投資に関して自分が行った行動を、手作業で逐一ノート等に記録することなく日記のように振り返ることができ、今後の投資活動に生かすことが可能になる。また、本実施形態によれば、株式取引においてユーザが行った行動に加えて、株式取引を通してユーザが抱く感情も自動的に記録することができる。これにより、一連の株式取引において、自身の感情の変化を時系列で振り返ることが可能になる。また、本実施形態によれば、ユーザが抱く感情に応じた音楽等のコンテンツをユーザに提供することを可能にした。これにより、株式取引と音楽等のコンテンツを結びつけることができ、新たな顧客サービスの展開等に役立てることが可能になる。
【００７７】
また、本実施形態によれば、ユーザが保有中又は過去に保有していた銘柄について、各銘柄の購入目的や評価損益等を一覧表示することが可能になる。これにより、ユーザは、自身が保有中の銘柄の購入目的を手作業で逐一ノート等に記録することなく、各銘柄をどのような目的で購入したのかを容易に把握することが可能になる。
【００７８】
また、本実施形態によれば、記録サーバ１０は、ユーザとの間でチャット形式での会話を通じて株式取引を行うことを可能にした。これにより、株式取引に慣れていないユーザであっても容易に株式取引を行うことが可能になる。
【００７９】
〔その他の実施形態〕
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００８０】
例えば、以上説明した実施形態では、ユーザから入力されたメッセージを解釈して、株式取引に関するユーザの行動内容や感情を認識する形態について説明した。しかしこれに限定されず、ユーザから入力されたメッセージを解釈して、あらゆるユーザの行動内容や感情を認識するように構成してもよい。例えば、ゴルフやボーリング等のスポーツを行う際、ユーザが自身のスコアに関する情報やその時の感情を含むメッセージを入力してもよく、ユーザが「ダブルボギーかぁ、今日の調子はいまいちだなぁ」とメッセージを入力すると、対話エンジン１０１１は、「ダブルボギー」というワードからユーザがゴルフに関する行動を行っていると推測して「今ゴルフをしているのですか？」等の確認メッセージを生成してもよい。さらに、対話エンジン１０１１は、ユーザのメッセージに含まれる「調子がいまいち」というワードから、ユーザの感情がマイナスであることやアドバイスが必要であることを推測して「アドバイスは必要でしょうか？パワーが出る音楽も一緒にどうですか？」等の応答メッセージを生成し、ユーザが「いいね」等と更に応答した場合に所定のコンテンツを外部サーバ４０から取得してユーザに提供してもよい。また、対話エンジン１０１１又は情報収集部１０３は、端末２０に備わる位置情報取得機能や地図アプリ等によって、ユーザがプレーを行っているゴルフ場や天気等の情報を取得して記録してもよい。なお、対話エンジン１０１１は、ラウンドの直前にユーザが入力する「今からゴルフを楽しんでくるね」等のメッセージをトリガーとして、ユーザの行動内容や感情に関する情報を記録するようにしてもよい。また、出力部１０２は、記録した内容を分析して、ユーザの平均スコアやスコア推移、各スコアに関連付く感情をダッシュボード化して端末２０に提供してもよい。
【符号の説明】
【００８１】
１０…記録サーバ、２０…端末、３０…取引サーバ、４０…外部サーバ、１０１…言語処理部、１０２…出力部、１０３…情報収集部、１０４…外部連携部、１０５…記憶部、２０１…通信部、２０２…入力部、２０３…表示部、１０１１…対話エンジン、１０１２…履歴記録部
【図１】
2019008529.tif 000003
【図２】
2019008529.tif 000004
【図３】
2019008529.tif 000005
【図４】
2019008529.tif 000006
【図５】
2019008529.tif 000007
【図６】
2019008529.tif 000008
【図７】
2019008529.tif 000009
【図８】
2019008529.tif 000010
【図９】
2019008529.tif 000011
【図１０】
2019008529.tif 000012